(57)【要約】      （修正有）【課題】容量性負荷を抑えることなくインターロック回路にリレーを用いた方式により、リレー接点の溶着、ＤＣ電源回路の過電流検知回路誤動作、及びＣＰＵの誤動作の原因である突入電流の発生を防止する画像形成装置を提供する。【解決手段】  このインターロック機構２００は、５ＶのＤＣ電源回路１ａと２４ＶのＤＣ電源回路１ｂとを備える電源装置１と、前カバー５の開閉に連動して回路が開閉するドアスイッチ２、３と、接続されたリレー１０、１１と、そのリレーを保持するリレー基板８とを備えて構成される。また本実施形態では、ドアスイッチ２、３を直列に接続し、そのドアスイッチ２、３を介してリレー１０、１１を並列接続して５ＶのＤＣ電源回路１ａにより駆動する構成とし、その接点１０ａ、１１ａが２４ＶのＤＣ電源回路１ｂの出力２４Ｖ１、２４Ｖ２の２系統の電源を個別に負荷１２に断接する構成とする。【選択図】図２
2006184329.tif 000002
【特許請求の範囲】
【請求項１】
カバーまたはドアの開閉に連動して開閉するインターロックスイッチと、該インターロックスイッチの開閉に連動して負荷への給電を断接するインターロックリレーと、を備えた画像形成装置において、
前記カバーまたはドアの開閉を検出して前記負荷への給電を行う負荷電源装置の動作を制御する制御手段を備え、
前記制御手段は、前記カバーまたはドアの開放により前記インターロックスイッチが開放したことを検出すると、前記負荷への給電を遮断するように前記負荷電源装置を制御することを特徴とする画像形成装置。
【請求項２】
前記カバーまたはドアの開閉を検出する信号は、前記インターロックリレーを駆動するリレー電源装置の出力電圧であることを特徴とする請求項１に記載の画像形成装置。
【請求項３】
前記制御手段は、前記カバーまたはドアの閉鎖により前記インターロックスイッチが閉鎖したことを検出すると、所定時間経過後に前記負荷への給電を行うように前記負荷電源装置を制御することを特徴とする請求項１に記載の画像形成装置。
【請求項４】
前記所定時間は、少なくとも前記インターロックリレーの接点が前記負荷電源装置と負荷との接続を完了するために十分な時間であることを特徴とする請求項３に記載の画像形成装置。
【請求項５】
前記制御手段は、前記インターロックリレーの駆動を制御するリレー駆動手段を更に備え、当該画像形成装置が省エネモードに移行すると、前記インターロックリレーの駆動を停止するように前記リレー駆動手段を制御することを特徴とする請求項１乃至４の何れか一項に記載の画像形成装置。
【請求項６】
前記制御手段は、当該画像形成装置が省エネモードに移行すると、前記負荷への給電を遮断するように前記負荷電源装置を制御することを特徴とする請求項１、３または４に記載の画像形成装置。
【請求項７】
前記制御手段は、当該画像形成装置が省エネモードに移行すると、前記インターロックリレーの駆動を停止するように前記リレー駆動手段を制御すると共に、前記負荷への給電を遮断するように前記負荷電源装置を制御することを特徴とする請求項１乃至６の何れか一項に記載の画像形成装置。
【発明の詳細な説明】
【技術分野】
【０００１】
本発明は、画像形成装置に関し、さらに詳しくは、インターロックスイッチを備えた画像形成装置のサージ電流抑制技術に関するものである。
【背景技術】
【０００２】
従来から画像形成装置においては、安全規格により人体への危険を防止するためにインターロック回路が用いられている。例えば、機器の前カバーなどの開閉にリンクするスイッチなどを用いて、機器内部に配置されたモータや高温・高圧発生部の負荷駆動回路装置のＤＣ電源電圧の開閉を行うようにして、前カバーを開放した状態で内部部品に対する作業を行うオペレーターに危険な動作状態が発生しないようにしている。これにより、仮に機器の電源がＯＮの状態であっても、ジャム処理などで前カバーが開けられたとき、負荷の駆動電圧が印加されなくなり負荷が駆動することは無くなる。更にこれ以上の高温・高圧が発生することもなくなり、不測の事態を未然に防止することが出来る。
一般的に、この構成を実現させるためには、インターロック回路として開閉したい電源ラインを機器の前カバーまで配線して、その前カバーの開閉メカ機構により回路をＯＮ、ＯＦＦするスイッチにて、電源ラインをＯＮ／ＯＦＦさせる方法が挙げられる。しかしながら、この方法の場合、インターロック回路として遮断したい負荷が大電流の場合、その大電流が流れる配線を前カバーまで敷設する必要が出てしまい、電磁輻射ノイズの抑制の観点からあまり望ましくない。また、大電流のため、電源ラインのハーネスが太くなり、この太いハーネスを通常、機器の後ろ下部に取り付けられるＤＣ電源装置から、機器の前カバーまで配線することになり、太く長いハーネスを必要としてそのコストも無視できなくなる。
また、例えばインターロック回路に流れる電流が１６Ａだとすると、一般的に使用されているスイッチの定格電流値は６Ａであり、少なくとも３個以上（６Ａ×３個＝１８Ａ）のスイッチが必要となる。ただし、スイッチの接点定格１８Ａに対し、流れる電流１６Ａでは、マージンがあまりなく負荷の配分が難しいため、必要となるスイッチの個数は３個ではなく、マージンを見込んで４個となる場合がある。さらに、前カバーが左右に取り付けられている場合、前カバーに取り付けるスイッチの数は４系統×２＝８個となる。しかし、実際はそれだけではなく、レーザー用電源ライン専用の開閉スイッチと、カバー開閉検知用のスイッチも必要となるので、合計８個＋４個（レーザー用）＋２個（開閉検知用）で計１２個ものスイッチが必要となってくる。
このようにスイッチの数が増えて、スイッチのコストも高くなるが、前カバーの開閉メカ機構に片側６個のスイッチを設置するスペースが必要となり、また確実に６個のスイッチを、前カバーの開閉に連動してＯＮ／ＯＦＦさせる必要があるなど、開閉メカ機構の構成も難しくなり、設計も容易ではなくなる。
【０００３】
上記のような問題に対処するため、開閉メカ機構部にスイッチ以外の方法として、負荷系の電源電圧ラインの遮断にリレーを用いて、そのリレーの駆動回路をインターロックスイッチ（前カバースイッチ）で遮断させる方法もある。この場合、例えば１０Ａ定格の１接点入りのリレーを用いても、２個で２０Ａまで電流を流せる。１６Ａの電流が流れる機器の場合、２個のリレーで８個のスイッチの機能相当となり、２個のリレーと、４個（レーザー用）＋２個（開閉検知用）の計６個のスイッチでインターロック回路を作ることができる。即ち、２個のリレーと、６個のスイッチでインターロック回路を構成できる。
また特許文献１には、カバーの開閉によって、駆動負荷部への入力平滑部に生じる突入電流の発生を未然に防ぎ、誤動作を防止するために、カバー閉時に流れる電流を一定以下に抑える方法と、カバー開時にコンバータをＯＦＦし、閉時にＯＮする技術について開示されている。
また特許文献２には、従来技術が複数のインターロックスイッチを用いることによる、インターロックスイッチ間の接点ＯＮ／ＯＦＦのタイミングずれの解消と機械の誤動作を防止するため、インターロックスイッチとリレーを併用し、各電源系統のＯＮ／ＯＦＦシーケンスを定め、タイミングずれの解消を図り、またインターロックスイッチのＯＦＦ時は、電圧の生成を直接止めることで、インターロックスイッチＯＦＦからＯＮ時の突入電流の防止を図る技術について開示されている。
【特許文献１】特開平０９−２１２０４２号公報
【特許文献２】特開２００２−３４５１４８公報
【発明の開示】
【発明が解決しようとする課題】
【０００４】
しかしながら、リレーの接点を閉じる際に、負荷側に設けられた容量性負荷により、突入電流が流れ込み、この突入電流によりアークなどが発生して接点が溶着するという問題がある。リレー接点が溶着すると、インターロック回路としての機能が動作しなくなる。
この問題に対処するため、溶着が発生する前に、インターロック回路の異常動作を検知し、未然に防止する発明がなされているが、突入電流が発生することで生じる問題は、リレー接点の溶着のみではない。容量性負荷に突入電流が流れることで、ＤＣ電源回路の過電流検知回路が誤動作する可能性、また突入電流が発生することで、電源電圧ラインの電圧降下が生じ、ＣＰＵが誤動作する可能性もある。
また特許文献１に開示されている従来技術は、駆動負荷部への電流を制限する電流制限手段と、この電流制限手段をバイパスするバイパス手段とを備えることにより、突入電流を抑制する方法であり、回路が複雑となるばかりでなく、電流制限手段を制御するために制御が難しくなるといった問題がある。
また特許文献２に開示されている従来技術は、インターロックのロック／アンロックによる複数の電源系統のオン／オフを時間的に整合させるものであり、そのための遅延回路等が必要となり、回路が複雑となり、コストが上昇するといった問題がある。
本発明は、かかる課題に鑑み、容量性負荷を抑えることなくインターロック回路にリレーを用いた方式により、リレー接点の溶着、ＤＣ電源回路の過電流検知回路誤動作、及びＣＰＵの誤動作の原因である突入電流の発生を防止する画像形成装置を提供することを目的とする。
また、他の目的は、突入電流の発生防止の機構を利用して、機器の省エネを図ることである。
また、他の目的は、突入電流の発生防止を図れることで、リレー接点溶着を抑止でき、リレーの長寿命化を図ることである。
【課題を解決するための手段】
【０００５】
本発明はかかる課題を解決するために、請求項１は、カバーまたはドアの開閉に連動して開閉するインターロックスイッチと、該インターロックスイッチの開閉に連動して負荷への給電を断接するインターロックリレーと、を備えた画像形成装置において、前記カバーまたはドアの開閉を検出して前記負荷への給電を行う負荷電源装置の動作を制御する制御手段を備え、前記制御手段は、前記カバーまたはドアの開放により前記インターロックスイッチが開放したことを検出すると、前記負荷への給電を遮断するように前記負荷電源装置を制御することを特徴とする。
インターロックスイッチの開閉に連動して負荷への給電を断接するインターロックリレーを備えた画像形成装置において、本発明は制御手段がインターロックスイッチが開放したことを検出すると、負荷電源装置を制御して負荷への電源の供給を停止するものである。これは、インターロックが解除された場合に備えて予め負荷への電源を遮断しておくものである。
請求項２は、前記カバーまたはドアの開閉を検出する信号は、前記インターロックリレーを駆動するリレー電源装置の出力電圧であることを特徴とする。
インターロックリレーの電源に直列にインターロックスイッチを接続することにより、インターロックスイッチが開放されるとインターロックリレーの電源回路が遮断されてインターロックリレーが停止する。これによりその接点に接続された負荷に電源が供給されなくなる。従って、インターロックスイッチが開放されたことを検出するには、インターロックリレーの電圧の有無を検出することにより可能となる。
請求項３は、前記制御手段は、前記カバーまたはドアの閉鎖により前記インターロックスイッチが閉鎖したことを検出すると、所定時間経過後に前記負荷への給電を行うように前記負荷電源装置を制御することを特徴とする。
インターロックリレーは電源を供給してから接点が閉鎖するまで数１０ｍｓの動作遅延時間が存在する。従って、制御手段がインターロックスイッチが閉鎖したことを検出してもまだ負荷電源と負荷は電気的に接続されていない。そこで本発明では、その時間を見込んで所定時間経過後に負荷への給電を行うようにするものである。
【０００６】
請求項４は、前記所定時間は、少なくとも前記インターロックリレーの接点が前記負荷電源装置と負荷とを接続するに足る時間以上であることを特徴とする。
インターロックリレーは電源を供給してから接点が閉鎖するまで数１０ｍｓの動作遅延時間が存在する。従って、所定の時間は少なくとも数１０ｍｓの動作遅延時間以上とする必要がある。
請求項５は、前記制御手段は、前記インターロックリレーの駆動を制御するリレー駆動手段を更に備え、当該画像形成装置が省エネモードに移行すると、前記インターロックリレーの駆動を停止するように前記リレー駆動手段を制御することを特徴とする。
省エネモードに移行する画像形成装置の場合、できるだけ消費電力を削減する必要がある。そのために本発明では、省エネモードに移行するとインターロックリレーに流れている電流を遮断するリレー駆動手段を更に備え、それによりきめ細かく省エネを図るものである。
請求項６は、前記制御手段は、当該画像形成装置が省エネモードに移行すると、前記負荷への給電を遮断するように前記負荷電源装置を制御することを特徴とする。
省エネモードに移行する画像形成装置の場合、できるだけ消費電力を削減する必要がある。そのために本発明では、省エネモードに移行すると負荷への電源の給電を遮断するために、負荷電源装置を制御するものである。それにより更に大きな省エネを図るものである。
請求項７は、前記制御手段は、当該画像形成装置が省エネモードに移行すると、前記インターロックリレーの駆動を停止するように前記リレー駆動手段を制御すると共に、前記負荷への給電を遮断するように前記負荷電源装置を制御することを特徴とする。
省エネモードに移行する画像形成装置の場合、できるだけ消費電力を削減する必要がある。そのために本発明では、インターロックリレーに流れている電流と負荷への電源の給電を遮断するものである。
【発明の効果】
【０００７】
請求項１の発明によれば、制御手段がインターロックスイッチが開放したことを検出すると、負荷電源装置を制御して負荷への電源の供給を停止するので、予め、負荷電源を停止しておくことにより、インターロックスイッチが閉鎖されて電源が供給されたときの突入電流を抑制することができる。
また請求項２では、インターロックスイッチが開放されたことを検出するために、インターロックリレーの電圧の有無を検出するので、確実にインターロックリレーの動作状態を確認することができる。
また請求項３では、インターロックスイッチの動作遅延時間を見込んで所定時間経過後に負荷への給電を行うようにするので、接点が閉じる前に負荷電源を駆動することを防止することができ、接点の溶着を防止することができる。
また請求項４では、所定の時間は少なくとも数１０ｍｓの動作遅延時間以上とするので、インターロックリレーに動作ばらつきが存在しても、確実に接点が閉じた後に負荷電源から負荷に電源を供給することができ、接点の溶着を防止することができる。
また請求項５では、省エネモードに移行するとインターロックリレーに流れている電流を遮断するので、無駄な電力の消費を抑えることができる。
また請求項６では、省エネモードに移行すると負荷への電源の給電を遮断するので、動作していない負荷に対して無駄に動作している電源を停止することができる。
また請求項７では、インターロックリレーに流れている電流と負荷への電源の給電を遮断するので、更に大きな省エネを行うことができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明に係る画像形成装置の一例を示す斜視図である。この画像形成装置１００は、原稿を載置するコンタクトガラス２１と、複数の原稿を順次コンタクトガラス２１に自動的に搬送する自動原稿送り装置（ＡＤＦ）２２と、本画像形成装置１００の操作を指示する操作部２３と、モードクリアや予熱のＯＮ／ＯＦＦを切り換える電源サブキー２４と、左前ドアと右前ドアの２つにより構成される前カバー２５と、転写紙を供給するための給紙トレイ２６と、装置全体の電源のＯＮ／ＯＦＦを切り換える主電源スイッチ２７と、トナーを補給するときに開閉するトナーカバー２８と、排紙コピー紙を振り分けるフィニッシャー２９とを備えて構成される。
尚、前カバー２５は左前ドアと右前ドアの２つがある。前ドアの開閉に連動してＯＮ／ＯＦＦする図示しないインターロックスイッチが、左右の前ドアごとに１個ずつ内側に備わっている。なお、前ドアが１つのタイプの画像形成装置であれば、スイッチは１個で充分であるし、安全性向上のためドア１つに対し、２個直列にスイッチを備えていても良い。また、本画像形成装置１００の動作は公知の画像形成装置であるので、画像形成に関する説明は省略する。
図２は、本発明の第１の実施形態のインターロック機構の構成を説明するブロック図である。このインターロック機構２００は、５ＶのＤＣ電源回路１ａと２４ＶのＤＣ電源回路１ｂとを備える電源装置１と、前カバー５の開閉に連動して回路が開閉するドアスイッチ（インターロックスイッチ）２、３と、本画像形成装置１００を制御する制御装置４と、５ＶのＤＣ電源回路１ａの出力５Ｖに直列に接続されたドアスイッチ２、３を介して接続されたリレー（インターロックリレー）１０、１１と、そのリレーを保持するリレー基板８とを備えて構成される。尚、制御装置４には、リレー１０、１１の駆動を制御するトランジスタ（リレー駆動手段）７と、ドアスイッチ２、３の開閉を検出して負荷１２への給電を行う２４ＶのＤＣ電源回路１ｂの動作を制御したり、トランジスタ７を制御する制御部（制御手段）５とを備えている。また本実施形態では、ドアスイッチ２、３を直列に接続し、そのドアスイッチ２、３を介してリレー１０、１１を並列接続して５ＶのＤＣ電源回路１ａにより駆動する構成とし、その接点１０ａ、１１ａが２４ＶのＤＣ電源回路１ｂの出力２４Ｖ１、２４Ｖ２の２系統の電源を個別に負荷１２に断接する構成とする。また符号９はリレー１０、１１がＯＦＦとなったときにリレーコイルの両端に発生する逆起電圧を抑圧するためのダイオードである。
【０００９】
図３は本発明の第１の実施形態のインターロック機構の動作を説明するタイミングチャートである。このタイミングチャートを参照して動作を説明する。図３は上から順に、主電源の状態を示し波形の立ち上がりが電源ＯＮ状態を表す。その下が画像形成装置１００が省エネモードか否かを示す信号であり、立ち上がりが省エネモードを表す。その下はドアスイッチ２、３の状態を表し、立ち上がりがドア開を表す。その下がリレー１０、１１の接点１０ａ、１１ａの状態を表し、立ち上がりが接点が開放されている状態を表す。その下が制御部５から出力される２４Ｖ電圧生成信号１３を表し、立ち上がりが生成ＯＦＦを表す。その下が２４ＶのＤＣ電源回路１ｂから出力される電圧を表し、立ち上がりが２４Ｖ電圧を表す。その下がトランジスタ７の制御信号を表し、立ち上がりがＯＮ状態を表す。
まず通常モードにより主電源スイッチ７がＯＮに接続されると、主電源が駆動して、５ＶのＤＣ電源回路１ａから電圧が出力されると共に、２４Ｖ電圧生成信号１３は通常ＯＮであるので、２４ＶのＤＣ電源回路１ｂからも電圧が出力される。このときドアスイッチ２、３が閉状態のときリレー１０、１１に５Ｖが供給されてリレー１０、１１が同時に動作する。それと同時に開閉検知信号６が制御部５に入力されるので、制御部５は前カバー５が閉じられていることを検知する（リレー１０、１１の電源に直列にドアスイッチ２、３を接続することにより、ドアスイッチ２、３が開放されるとリレー１０、１１の電源回路が遮断されて動作が停止する。これによりその接点１０ａ、１１ａに接続された負荷１２に電源が供給されなくなる。従って、ドアスイッチ２、３が開放されたことを検出するには、リレー１０、１１の電圧の有無を検出することにより可能となる）。そしてリレー１０、１１の動作時間後に接点１０ａ、１１ａが閉じて２４ＶのＤＣ電源回路１ｂからの電圧２４Ｖ１、２４Ｖ２が負荷１２に供給される。この状態が通常モードでの状態である。
【００１０】
次に何らかの原因（例えば紙詰まり等）により操作者が前カバー５を開放すると、ドアスイッチ２、３が開状態となり、その結果、リレー１０、１１の５Ｖ電源が遮断されてリレー１０、１１が不動作となる。それと同時に開閉検知信号６が制御部５に入力されるので、制御部５は前カバー５が開状態であることを検知する。その結果、制御部５は２４Ｖ電圧生成信号１３をＯＦＦとして、２４ＶのＤＣ電源回路１ｂを不動作とする。そしてリレー１０、１１の動作時間後に接点１０ａ、１１ａが開放して２４ＶのＤＣ電源回路１ｂからの電圧２４Ｖ１、２４Ｖ２が負荷１２から切り離される。この状態がインターロック状態と呼ばれて前カバー開により操作者から危険を回避する状態である。
このようにドアスイッチ２、３の開閉に連動して負荷１２への給電を断接するリレー１０、１１を備えた画像形成装置１００において、本実施形態は制御部５がドアスイッチ２、３が開放したことを検出すると、２４ＶのＤＣ電源回路１ｂを制御して負荷１２への電源の供給を停止するものである。これは、インターロックが解除された場合に備えて予め負荷１２への電源を遮断しておくものである。これにより、ドアスイッチ２、３が閉鎖されて電源が供給されたときの突入電流を抑制することができる。
次に何らかの原因（例えば紙詰まり等）が除去され操作者が前カバー５を閉鎖すると、ドアスイッチ２、３が閉状態となり、その結果、リレー１０、１１の５Ｖ電源が接続されてリレー１０、１１が動作状態となる。それと同時に開閉検知信号６が制御部５に入力されるので、制御部５は前カバー５が閉状態であることを検知する。このときリレー１０、１１が動作するが、接点１０ａ、１１ａがメカ的な遅れによりまだ閉じていないので、所定の時間（ｔ）待った後、制御部５は２４Ｖ電圧生成信号１３をＯＮとして２４ＶのＤＣ電源回路１ｂを動作状態とする（本実施形態では、前カバー５が閉じたことを検知して、５０ｍｓ後に、２４Ｖの電圧生成指令信号をＯＮする。５０ｍｓの時間差を設けた理由は、リレーの実力値で見て、駆動（コイル）電圧がＯＮしてから、リレーの接点が実際に閉じるまで１０ｍｓ〜２０ｍｓを要するためである。）その結果、リレー１０、１１の接点１０ａ、１１ａが閉鎖され後２４ＶのＤＣ電源回路１ｂからの電圧２４Ｖ１、２４Ｖ２が負荷１２に供給される。この状態はインターロック解除状態と呼び、その後、制御装置４が装置を停止する原因が取り除かれたか否かをチェックして、取り除かれていれば通常モードに復帰する。このとき、２４ＶのＤＣ電源回路１ｂが動作状態でリレー１０、１１の接点１０ａ、１１ａが閉鎖されると、負荷が容量性負荷の場合、図４のようにサージ電流２１が流れ、その結果、例えば、電源装置１の５Ｖの出力電圧２０が落ち込んで、制御部５の動作を乱す虞が発生する。また接点１０ａ、１１ａに大きな電流が流れて接点が溶着する虞も発生する。
【００１１】
また、装置が待機状態において、電力消費を抑制するために不必要な負荷、例えば、ヒータ、電源等をＯＦＦ状態にしておく省エネモードが備えられている。本実施形態の画像形成装置１００もこの省エネモードを備えていると仮定すると、制御装置４が省エネモードに移行する条件（所定の時間経過しても操作が成されない等）が揃うと、トランジスタ７の制御信号をＯＦＦとしてリレー１０、１１を不動作とする。これにより５ＶのＤＣ電源回路１ａは動作しているが、リレー１０、１１には電流が流れないので、負荷としての消費電力を削減することができる。また、それと同時に、制御部５は２４Ｖ電圧生成信号１３をＯＦＦとして２４ＶのＤＣ電源回路１ｂを不動作とすることにより、更に省エネの効果を高めることができる。尚、リレー１０、１１と２４ＶのＤＣ電源回路１ｂを個別に何れか一方を不動作としても良いし、両方同時に不動作としても良い。
次に操作者がＡＤＦに原稿をセットする等の操作のための指示が成されると、省エネモードが解除される。そのときドアスイッチ２、３が閉状態であることを制御部５が検出すると、トランジスタ７の制御信号をＯＮとしてリレー１０、１１を動作状態とする。このときリレー１０、１１が動作するが、接点１０ａ、１１ａがメカ的な遅れによりまだ閉じていないので、所定の時間（ｔ）待った後、制御部５は２４Ｖ電圧生成信号１３をＯＮとして２４ＶのＤＣ電源回路１ｂを動作状態とする。その結果、リレー１０、１１の接点１０ａ、１１ａが閉鎖され後２４ＶのＤＣ電源回路１ｂからの電圧２４Ｖ１、２４Ｖ２が負荷１２に供給される。これにより、サージ電流による不測の事態を防ぐことができる。
【００１２】
図５は本発明の第２の実施形態のインターロック機構の構成を説明するブロック図である。同じ構成要素には同じ参照番号を付して説明する。図５が図２と異なる点は、リレーの接点を２回路備えたリレーを１つにした点である。即ち、リレー１０に２回路の接点１０ａ、１０ｂを備え、各接点に２４ＶのＤＣ電源回路１ｂからの電圧２４Ｖ１、２４Ｖ２が負荷１２に供給される構成にしたものである。このように、２回路の接点を有するリレーを使用することにより、構成を小型化することができると共に、５ＶのＤＣ電源回路１ａの電源容量を少なくすることができる。尚、一般に２回路の接点を有するリレーを使用するか否かは、接点に流れる負荷電流の大小により決定される。その他の動作については第１の実施形態と同様であるので説明を省略する。
図６は本発明の第３の実施形態のインターロック機構の構成を説明するブロック図である。同じ構成要素には同じ参照番号を付して説明する。図６が図２と異なる点は、各リレーの接点に異なる電圧を有する電源を個別に接続した点である。即ち、電源装置１に１２ＶのＤＣ電源回路１ｃを追加して、接点１０ａに１２ＶのＤＣ電源回路１ｃからの電圧１２Ｖを接続し、接点１１ａに２４ＶのＤＣ電源回路１ｂからの電圧２４Ｖが負荷１２に供給される構成にしたものである。このように、２回路の接点を使用することにより、異なる電圧を確実に分離することができる。また、制御部５は１２ＶのＤＣ電源回路１ｃと２４ＶのＤＣ電源回路１ｂを同時に電圧生成信号１３により制御する構成としている。尚、本実施形態では、制御部５はトランジスタ７によりリレー１０、１１を同時に動作させているが、トランジスタ回路を追加して個別に制御することもできる。また、同時に動作可能であれば１つのリレーに２回路の接点を使用してリレーを１つ削減するようにしても良い。また制御部５は１２ＶのＤＣ電源回路１ｃと２４ＶのＤＣ電源回路１ｂを同時に電圧生成信号１３により制御しているが、個別に制御するようにしても良い。
【図面の簡単な説明】
【００１３】
【図１】本発明に係る画像形成装置の一例を示す斜視図。
【図２】本発明の第１の実施形態のインターロック機構の構成を説明するブロック図。
【図３】本発明の第１の実施形態のインターロック機構の動作を説明するタイミングチャート。
【図４】サージ電流と出力電圧の変化を説明する図。
【図５】本発明の第２の実施形態のインターロック機構の構成を説明するブロック図。
【図６】本発明の第３の実施形態のインターロック機構の構成を説明するブロック図。
【符号の説明】
【００１４】
１ａ  ５ＶのＤＣ電源回路、１ｂ  ２４ＶのＤＣ電源回路、１  電源装置、２、３  ドアスイッチ、４  制御装置、５  制御部、７  トランジスタ、８  リレー基板、１０、１１  リレー、１２  負荷、２５  前カバー、１００  画像形成装置、２００  インターロック機構
【図１】
2006184329.tif 000003
【図２】
2006184329.tif 000004
【図３】
2006184329.tif 000005
【図４】
2006184329.tif 000006
【図５】
2006184329.tif 000007
【図６】
2006184329.tif 000008